(57)【要約】【課題】  ヘッドセット機能を追加した新規な携帯電話機を提供する。【解決手段】  操作ボタン２が配列される操作部３と、液晶表示画面４が設けられた表示体部５とを有し、これら操作部３と表示部５が接続部分で折りたたみ自在とされてなる携帯電話である。操作部３と表示部５は、接続部分で分離可能である。また、操作部３又は表示部５は、分離状態でヘッドセットとして装着可能である。例えば操作部３がヘッドセットとして装着使用される場合、操作部３は、スピーカ９、マイク１０、及び耳掛け部１１を備える。分離状態において、操作部３と表示部５の間で無線通信により信号が伝達される。無線通信に用いられる無線規格は、ブルートゥース（Bluetooth）である。【選択図】  図２
2005318288.tif 000002
【特許請求の範囲】
【請求項１】
操作ボタンが配列される操作部と、液晶表示画面が設けられた表示体部とを有し、これら操作部と表示部が接続部分で折りたたみ自在とされてなる携帯電話において、
前記操作部と表示は、前記接続部分で分離可能とされるとともに、
前記操作部又は表示部は、分離状態でヘッドセットとして装着可能であることを特徴とする携帯電話機。
【請求項２】
前記ヘッドセットとして装着される操作部又は表示部は、スピーカ、マイク、及び耳掛け部を備えることを特徴とする請求項１記載の携帯電話機。
【請求項３】
分離状態において、前記操作部と表示部の間で無線通信により信号が伝達されることを特徴とする請求項１又は２記載の携帯電話機。
【請求項４】
前記無線通信に用いられる無線規格が、ブルートゥースであることを特徴とする請求項３記載の携帯電話機。
【発明の詳細な説明】
【技術分野】
【０００１】
本発明は、折りたたみ式の携帯電話機に関するものであり、特に、表示部と操作部が分離可能で、しかも操作部（あるいは表示部）をいわゆるヘッドセットとして装着することが可能な新規な携帯電話機に関する。
【背景技術】
【０００２】
携帯電話の普及は目覚ましいものがあり、より一層の機能の追加や多様なデザインの機種の開発等が日常的に行われている。それに伴い、携帯電話機の形態も、様々に変化しており、現在では、液晶大画面を搭載すること、プッシュボタンの誤操作を防止すること等を目的に、折りたたみ式の携帯電話機が開発され、主流になりつつある。
【０００３】
この折りたたみ式の携帯電話機は、ナンバーキーや各種入力キー等の操作ボタンが配列された操作部と、液晶大画面が設けられた表示部とから構成され、これらが接続部を介して折りたたみ可能とされている。折りたたみ状態では、操作ボタンが配列された操作部上を表示部で覆う形になり、操作ボタンの誤作動が防止される。また、全体形状を拡張した場合にも、折りたたみ状態ではコンパクトに持ち運ぶことが可能であり、大画面化等の点でも有利である。
【０００４】
ところで、携帯電話機の使い勝手をさらに改善するという目的で、例えば、いわゆるヘッドセットを備えたハンズフリータイプの携帯電話機の実現が望まれており、これを実現するために、携帯電話機用無線装置が提案されている（例えば、特許文献１等を参照）。特許文献1記載の携帯電話機用無線装置は、携帯電話機の裏面に取り付けられる第１送受信装置と、第１送受信装置との間で電波を用いて音声信号の送受信を行うハンズフリータイプの第２送受信装置（ヘッドセット）からなるものであり、これを装着することで、通常の携帯電話機であっても、無線通信を用いたハンズフリー対応とすることができる。携帯電話機がヘッドセットを備えていれば、ユーザのＴＰＯ、状況等に応じて、通常の携帯電話機として、あるいはヘッドセットとしての使い分けが可能になる。
【特許文献１】特開２００２−１１８６３５号公報
【発明の開示】
【発明が解決しようとする課題】
【０００５】
ところで、前述の特許文献１の携帯電話機用無線装置の場合、携帯電話機とヘッドセットとは完全に別々になっており、ユーザは、携帯電話機とは別に前記携帯電話機用装置を購入し、これを自分で携帯電話機に装着して使用するようになっている。このため、使用に際して煩雑な取り付け作業が要求される他、携帯電話機の最大の利便性である携帯性やデザイン等を損なう原因となるおそれもある。
【０００６】
本発明は、このような従来の実情に鑑みて提案されたものである。すなわち、本発明は、ヘッドセット機能を携帯電話機自体に追加した新規な携帯電話機を提供することを目的とし、煩雑な取り付け作業が不要で、そのままヘッドセットとして使用可能で、携帯性やデザインが損なわれることもない携帯電話機を提供することを目的とする。
【課題を解決するための手段】
【０００７】
上述の目的を達成するために、本発明に係る携帯電話機は、操作ボタンが配列される操作部と、液晶表示画面が設けられた表示体部とを有し、これら操作部と表示部が接続部分で折りたたみ自在とされてなる携帯電話において、前記操作部と表示は、前記接続部分で分離可能とされるとともに、前記操作部又は表示部は、分離状態でヘッドセットとして装
着可能であることを特徴とする。
【０００８】
本発明の携帯電話機では、携帯電話機とヘッドセットが完全に別々になっているのではなく、携帯電話機の機能としてヘッドセットの機能が追加されている。具体的には、操作ボタンが配列される操作部、あるいは液晶表示画面が設けられる表示部が、例えばスピーカやマイク、耳掛け部を備え、これを分離することで、そのままヘッドセットとして利用可能である。したがって、携帯電話機に別途無線装置を追加する構成とは異なり、無線装置の装着作業は不要である。また、携帯電話機に何も装着せずに済むので、携帯電話機の携帯性を損なうことがなく、携帯電話機の外観（デザイン）を損なうこともない。
【発明の効果】
【０００９】
本発明によれば、従来の携帯電話機の機能にヘッドセットの機能を追加した新規な携帯電話機を提供することができる。すなわち、本発明の携帯電話機によれば、ユーザのＴＰＯ、状況等により、通常の携帯電話機としての使用と、ヘッドセットとしての使用を使い分けることが可能になり、携帯電話機の使い勝手を大幅に向上することが可能である。また、本発明の携帯電話機においては、無線装置等を別途追加する必要がなく、ヘッドセットとしての使用が可能でありながら、携帯性やデザイン性に優れた携帯電話機を提供することが可能である。
【発明を実施するための最良の形態】
【００１０】
以下、本発明を適用した携帯電話機について、図面を参照して詳細に説明する。
【００１１】
本実施形態の携帯電話機１は、図１に示すように、いわゆる折りたたみ式の携帯電話機である。すなわち、この携帯電話機１は、ナンバーキーや各種操作キー等の操作ボタン２が配列された操作部３と、液晶表示画面４が設けられた表示部５とから構成される。
【００１２】
これら操作部３と表示部５とは、通常の携帯電話機としての使用時には、開閉自在なヒンジ部６を介して結合されており、使用者は、使用時には、これら操作部３，表示部５を広げてキー操作及び表示の確認を行い、電話機として使用し、あるいはメールの送受信等を行う。ここで、操作部３にはマイク７が、表示部５にはスピーカ８が設けられており、通話時には、前記表示部５のスピーカ８を耳に押し当て、操作部３のマイク７に向かって話すようにする。一方、不使用時には、これら操作部３と表示部５を折りたたみ、２つ折り状態でコンパクトに持ち運ぶことが可能である。
【００１３】
以上の構成は、通常の携帯電話機と同じであるが、本発明の携帯電話機は、前記携帯電話機としての機能の他、ヘッドセットとしての機能が追加されている。以下、このヘッドセットとしての構成について説明する。
【００１４】
前述の通り、本実施形態の携帯電話機１は、操作部３と表示部５とがヒンジ部６を介して折りたたみ可能に構成されてなるものであるが、さらに、前記操作部３と表示部５とは、図２に示すように分割可能とされている。前記のように操作部３と表示部５とが折りたたみ可能であり、且つ分離可能とするためには、前記ヒンジ部６に、これら双方の機能を有する特殊なヒンジを用いるか、ヒンジ部６とは別の部分で操作部３と表示部５とを分離する分離機構を設ければよい。
【００１５】
本実施形態では、これら分割された操作部３と表示部５のうち、操作部３がヘッドセットとして利用可能であり、したがって、図３に示すように、操作部３の背面側に音声を聞くためのスピーカ９が設けられるとともに、一端部にマイク１０が設けられている。なお、マイク１０については、操作部３の設けられているマイク７を流用し、別途設けなくともよい。
【００１６】
また、操作部３には、耳の形状に合わせた耳掛け部１１が設けられており、これを耳に掛けることにより、操作部３がヘッドセットとして利用可能になる。耳掛け部１１は、例えばゴム系の材料やプラスチック等により形成され、使用しない時には、操作部3内に収容したり、操作部３の周面に沿って凹部を形成しておき、ここに巻き付ける形で収容する等、通常の携帯電話機としての使用の際に邪魔にならないようにすることが好ましい。
【００１７】
操作部３を前記構成とすることにより、ユーザは、操作部３をヘッドセットとして利用することができる。すなわち、ユーザのＴＰＯや状況等に応じて、操作部３と表示部５を分割し、操作部３に設けられた耳掛け部１１を引き出して、操作部３を耳に掛ける。この結果、耳には操作部３に設けられたスピーカ９が接し、音声を聞き取ることができる。また、操作部３に設けられたマイク１０（あるいはマイク７）により、使用者が発する声を集音することにより、音声を相手に伝達することができる。したがって、操作部3単独で通常の携帯電話機のように会話を行うことができる。
【００１８】
この場合、携帯電話機としての機能、すなわち音声信号の送信及び受信の全てを操作部３に内蔵する回路で行うようにすれば、分離状態で使用する際に、特に操作部３と表示部５の間で信号の授受は不要であり、操作部3単独での使用が可能である。操作部３と表示部５を結合した際には、ヒンジ部6近傍に接点を設け、この接点を介して信号の授受を行うようにすればよい。
【００１９】
一方、操作部３をヘッドセットとして使用しながら、表示部５に映し出される画像、あるいは表示を見ながら会話を行うことも、有用な使用方法である。例えば、テレビ電話機能を持った携帯電話機等では、分離された操作部３をヘッドセットとして装着し、表示部５を手に持って相手の顔を見ながら会話を行うという使用形態が想定される。このような場合には、操作部３と表示部５の間で信号の授受が必要になる。その他、前記音声信号の送信、受信の機能を操作部３と表示部５に組み込まれた回路で協働して行う場合にも、操作部３と表示部５の間で信号の授受が必要になる。
【００２０】
前述のように、分離状態において、操作部３と表示部５の間で信号の授受が必要になる場合には、信号授受のための無線通信機能が必要になる。したがって、この場合には、操作部３及び表示部５に、それぞれ互いに信号授受を行うための無線手段を組み込んでおく必要がある。
【００２１】
ここで、前記信号の授受を行うための無線手段としては、無線通信により信号を伝達し得るものであれば如何なる規格のものであってもよいが、これら操作部３と表示部５とは、さほどの距離を離れずに使用されると想定されることから、無線規格としてブルートゥース（Bluetooth）を採用することが好ましい。
【００２２】
ブルートゥース（Bluetooth）は、２．４ＧＨｚの周波数の電波を使って、例えば携帯機器や携帯電話、パソコン等、様々な機器の間で簡単にお互いを認識したり、データのやりとりができるようにする技術であり、対応のモジュールも小さく、低消費電力なものが存在し、携帯機器にも搭載し易いという特長を有する。したがって、これをデータの授受のための無線規格として採用することで、操作部３や表示部５をさほど大型化することなく、無線手段を組み込むことが可能になる。
【００２３】
以上、本発明を適用した携帯電話機の実施形態について説明してきたが、本発明がこの実施形態に限定されるものでないことは言うまでもない。例えば、先の実施形態では、操作部３をヘッドセットとして装着使用可能としたが、表示部５をヘッドセットとして使用するようにすることも可能である。この場合には、表示部５がスピーカ、マイク、及び耳
掛け部を備えることが必要であるが、スピーカについては前記スピーカ８を利用することができる。
【図面の簡単な説明】
【００２４】
【図１】本発明を適用した携帯電話機の通常の携帯電話機としての使用状態を示す概略斜視図である。
【図２】操作部と表示部の分離状態を示す概略斜視図である。
【図３】ヘッドセットとして使用される操作部の構成を示す背面図である。
【符号の説明】
【００２５】
１  携帯電話機、２  操作ボタン、３  操作部、４  液晶表示画面、５  表示部、６  ヒンジ部、７，１０  マイク、８，９  スピーカ、１１  耳掛け部
【図１】
2005318288.tif 000003
【図２】
2005318288.tif 000004
【図３】
2005318288.tif 000005